(57)【要約】【課題】ＰＥＴスキャナ用に設定されたＦＯＶに基づいて同時計数判定窓を決定する核医学診断装置の提供。【解決手段】本実施形態に係る核医学診断装置は、天板の長軸方向に沿った所定の軸長と所定のリング径とを有する円筒形状で前記天板の周囲に配置され、被検体内で発生した放射線を検出する複数の放射線検出器を有するスキャナ４０１と、被検体に対する撮像視野の直径に基づいて、放射線の発生点を特定するための同時計数時間幅を計算する制御部４０７と、を具備する。【選択図】図１
2014071113.tif 000002
【特許請求の範囲】
【請求項１】
天板の長軸方向に沿った所定の軸長と所定のリング径とを有する円筒形状で前記天板の周囲に配置され、被検体内で発生した放射線を検出する複数の放射線検出器を有するスキャナと、
前記被検体に対する撮像視野の直径に基づいて、前記放射線の発生点を特定するための同時計数時間幅を計算する制御部とを具備する核医学診断装置。
【請求項２】
前記制御部は、
前記撮像視野の直径と、前記軸長と、前記リング径と、前記放射線の飛行時間の時間分解能とに基づいて、前記同時計数時間幅を計算する請求項１に記載の核医学診断装置。
【請求項３】
前記制御部は、
前記被検体に対するＸ線コンピュータ断層撮影により発生されたスキャノグラムに基づいて、前記撮像視野の直径を決定する請求項１に記載の核医学診断装置。
【請求項４】
前記制御部は、
前記同時計数時間幅（τ）を、
【数１】
2014071113.tif 000011
により計算し、Ｄは前記リング径であり、Ｌは前記軸長であり、ｄは前記撮像視野の直径であり、ＦＷＨＭΔＴＯＦは前記飛行時間の時間分解能であり、ｎは所定の数である請求項１に記載の核医学診断装置。
【請求項５】
前記所定の数であるｎは、２以上３以下である請求項４に記載の核医学診断装置。
【請求項６】
前記制御部は、
前記計算された同時計数時間幅を用いて前記被検体に対するスキャンを実行するために、前記スキャナを制御する請求項１に記載の核医学診断装置。
【請求項７】
前記制御部は、
前記直径を、前記被検体に対するＸ線コンピュータ断層撮影における撮像視野の直径に等しく設定する請求項１に記載の核医学診断装置。
【請求項８】
天板に載置された被検体内で発生した放射線を検出するスキャンに伴って発生された放射線検出データを記憶する記憶部と、
前記放射線を検出する複数の検出器を前記天板の長軸方向に沿って配置した軸長と、前記検出器を前記天板の周囲に配置したリング径と、前記被検体に対する撮像視野の直径と、前記放射線の飛行時間の時間分解能とに基づいて、前記放射線の発生点を特定するための同時計数時間幅を計算する制御部と、
前記放射線検出データと前記同時計数時間幅とに基づいて、前記被検体内に投与された放射性核種の分布画像を発生するデータ処理部と、
を具備する医用データ処理装置。
【発明の詳細な説明】
【技術分野】
【０００１】
本実施形態は、概して、ガンマカメラ、および、陽電子放出断層撮影法のスキャナなどの放射線検出器を用いて被検体を撮像する核医学診断装置および医用データ処理装置に関する。
【背景技術】
【０００２】
総じてガンマ線検出器の使用、特に、陽電子放出断層撮影法（Ｐｏｓｉｔｒｏｎ  Ｅｍｉｓｓｉｏｎ  Ｔｏｍｏｇｒａｐｈｙ：以下、ＰＥＴと呼ぶ）すなわちＰＥＴの検出器の使用は、医用イメージングの分野で増加している。ＰＥＴイメージングでは、注射、吸入、または摂取を介して、撮像される被検体に放射性医薬品が導入される。放射性医薬品の投与の後、放射性医薬品の物理特性および生体分子特性によって、放射性医薬品が人体の特定部位に集中することになる。放射性医薬品の実際の空間分布、放射性医薬品が蓄積する領域の強度、および、投与から最終的な消失までのプロセスにおける動力学は、すべて臨床的重要性を有し得るファクターである。このプロセスの間、放射性医薬品に付いているポジトロン放出体（放射性核種）は、半減期、分岐比などの同位体の物理特性に従って陽電子を放出する。
【０００３】
放射性核種は陽電子を放出し、放出された陽電子が電子と衝突すると、消滅イベントが起こり、陽電子と電子は消失する。たいていは、消滅イベントにより、実質的に１８０度離れて伝わる（５１１ｋｅＶの）２つのガンマ線が生じる。
【０００４】
この２つのガンマ線を検出し、それら２つのガンマ線の位置どうしの間のライン、すなわちラインオブレスポンス（ｌｉｎｅ−ｏｆ−ｒｅｓｐｏｎｓｅ：ＬＯＲ）を引くことによって、元の崩壊の予想位置を得ることができる。このプロセスは、可能性のある相互作用のラインを同定するにすぎないが、これらの多数のラインを蓄積し、断層撮影法の再構成プロセスを通じて、元の分布（放射性核種の分布）を推定することができる。２つのシンチレーションイベントの位置に加え、（数百ピコ秒以内の）正確なタイミングが利用可能である場合、飛行時間（ｔｉｍｅ−ｏｆ−ｆｌｉｇｈｔ：ＴＯＦ）の計算によって、ラインに沿うイベントの予想位置に関するより多くの情報が加えられる可能性がある。スキャナのタイミング分解能における制約により、このラインに沿う位置決めの精度が決まることになる。
【０００５】
臨床用の全身のＰＥＴスキャナの場合、イメージングの撮像視野（ｆｉｅｌｄ−ｏｆ−ｖｉｅｗ：以下、ＦＯＶと呼ぶ）は、径がスキャナの内径より小さい横断面における中央の円形領域と、ＰＥＴスキャナと同じ軸長とを有する円筒形ボリューム（cylindrical volume）である。従来のＰＥＴスキャナの場合、横断面における円形領域の径である横断ＦＯＶは通常、可能な２つの値、例えば脳スキャン用の２５６ｍｍと全身スキャン用の約５７６ｍｍ〜７００ｍｍのうちの一方である。さらに、これらの可能な２つのＰＥＴのＦＯＶのそれぞれに対して、（４〜６ｎｓの範囲の）同じ固定の同時計数判定窓が用いられる。
【０００６】
対照的に、表１に一例として示されているように、従来のＣＴ（Ｘ線Ｃｏｍｐｕｔｅｄ  Ｔｏｍｏｇｒａｐｈｙ）システムでは複数のＦＯＶがサポートされている。
【表１】
2014071113.tif 000003
【０００７】
従来のＰＥＴスキャナに関する課題は、所定の全身のＦＯＶが、異なる性別、年齢、体型および体の大きさを有するすべての範囲の患者には不十分であるということである。さらに、患者の解剖学的情報を得るために対応したＣＴスキャンが通常用いられることから、ＣＴに用いられる様々なＦＯＶの設定をＰＥＴ用に採用すべきである。しかし、ＰＥＴにおいて同じ固定の同時計数判定窓を異なるＦＯＶに用いることは不適切であり、これは、小さいＦＯＶに対する大きい同時計数判定窓により即時データの偶発同時計数（random coincidence）が増え、それによって画像の品質と定量化とが劣化するためである。
【発明の概要】
【発明が解決しようとする課題】
【０００８】
目的は、ＰＥＴスキャナ用に設定されたＦＯＶに基づいて同時計数判定窓を決定する核医学診断装置および医用データ処理装置を提供することにある。
【課題を解決するための手段】
【０００９】
本実施形態に係る核医学診断装置は、天板の長軸方向に沿った所定の軸長と所定のリング径とを有する円筒形状で前記天板の周囲に配置され、前記被検体内で発生した放射線を検出する複数の放射線検出器を有するスキャナと、前記被検体に対する撮像視野の直径に基づいて、前記放射線の発生点を特定するための同時計数時間幅を計算する制御部と、を具備する。
【図面の簡単な説明】
【００１０】
【図１】図１は、本実施形態に係り、ＰＥＴのフィールドオブビューにおける様々なビューを示す図である。
【図２】図２は、本実施形態に係り、ＰＥＴの同時計数判定窓を計算する手順の一例を示すフローチャートである。
【図３】図３は、本実施形態に係り、ＰＥＴ−ＣＴスキャナシステムの外観を示す図である。
【図４】図４は、本実施形態に係り、図３のＰＥＴ−ＣＴスキャナシステムにおける構成要素を示す図である。
【発明を実施するための形態】
【００１１】
本明細書で説明される実施形態は、ＰＥＴスキャナ用に設定されたＦＯＶに基づいて同時計数判定窓を決定する新しい方法に関する。
【００１２】
特に、対応したＣＴスキャナでサポートされている同じＦＯＶの設定は、ＰＥＴ／ＣＴシステムにおいて対応しているＰＥＴスキャナによってもサポートされる。さらに、ＰＥＴの各ＦＯＶは、対応する最適な同時計数判定窓のサイズを有する。同時計数判定窓（同時計数時間幅）は、飛行時間差における測定の不確実性を考慮して、ＦＯＶの端にある放射点を有する最も長い斜めのラインオブレスポンス（ＬＯＲ）に対する最大の飛行時間差によって求められる。したがって、最適な同時計数判定窓のサイズは、ＰＥＴスキャナの横断ＦＯＶと軸長とに依存し、またＰＥＴスキャナの飛行時間分解能にも依存する。
【００１３】
なお、本実施形態は、ＰＥＴ／ＣＴシステムに限定されない。すなわち、本実施形態は、ＰＥＴ／ＭＲ、およびＰＥＴ装置を含む核医学診断装置単体にも適用可能である。
【００１４】
特に、一実施形態では、陽電子放出断層撮影法（ＰＥＴ）のスキャナを用いて被検体の関心領域を撮像するために同時計数判定窓を決定する方法が提供され、この方法は、（１）被検体の関心領域を撮像するために横断フィールドオブビュー（ＦＯＶ）の径を決定することと、（２）決定された径、ＰＥＴスキャナのリング径、ＰＥＴスキャナの軸長、および、ＰＥＴスキャナの飛行時間分解能に基づいて同時計数判定窓を計算することとを備える。
【００１５】
一実施形態では、決定するステップは、被検体の関心領域におけるコンピュータ断層撮影法（ＣＴ）のスキャノグラムから横断ＦＯＶの径を決定することを含む。
【００１６】
一実施形態では、計算するステップは、以下の式
【数１】
2014071113.tif 000004
【００１７】
を用いて同時計数判定窓（τ）を計算することを含む。
【００１８】
上式において、ＤはＰＥＴスキャナのリング径であり、ＬはＰＥＴスキャナの軸長であり、ｄは横断ＦＯＶの径であり、ＦＷＨＭΔTOFはＰＥＴスキャナの飛行時間分解能（ＴＯＦの時間分解能）であり、ｎは所定の数（２≦ｎ≦３）である。
【００１９】
軸長Ｌは、ＰＥＴスキャナにおいて、天板の長軸方向に沿った複数のＰＥＴ検出器による長さに対応する。また、リング径Ｄは、ＰＥＴスキャナにおいて、天板の周囲に円周に沿って配列される複数のＰＥＴ検出器によるリングの直径に対応する。また、ｄは、ＰＥＴスキャンにおける撮像視野の直径に対応する。ＦＷＨＭは、半値幅（ｆｕｌｌ  ｗｉｄｔｈ  ａｔ  ｈａｌｆ  ｍａｘｉｍｕｍ）である。ＦＷＨＭは、例えば、後述するＰＥＴ検出器からの出力に基づいて発生された飛行時間差（ΔＴＯＦ）の分布において、最大値（ΔＴＯＦｍａｘ）の半値を示す２点を結ぶ飛行時間差の幅に対応する。
【００２０】
一実施形態では、この方法は、ＰＥＴスキャナを用い、計算された同時計数判定窓を用いた被検体の関心領域のＰＥＴスキャンを行なうことをさらに含む。
【００２１】
別の実施形態によれば、陽電子放出断層撮影法（ＰＥＴ）−コンピュータ断層撮影法（ＣＴ）複合のスキャナを用いて被検体の関心領域を撮像するためにＰＥＴの同時計数判定窓を決定する方法が提供され、この方法は、（１）被検体の関心領域のサイズに基づいてＣＴのフィールドオブビュー（ＦＯＶ）を設定することと、（２）ＰＥＴイメージング用の横断ＦＯＶの径を、設定されたＣＴのフィールドオブビューに等しくなるように設定することと、（３）決定された径、ＰＥＴスキャナのリング径、ＰＥＴスキャナの軸長、および、ＰＥＴスキャナの飛行時間分解能に基づいてＰＥＴの同時計数判定窓を計算することとを備える。
【００２２】
別の実施形態によれば、陽電子放出断層撮影法（ＰＥＴ）−コンピュータ断層撮影法（ＣＴ）複合のスキャン装置が提供され、このスキャン装置は、（１）被検体の関心領域のサイズに基づいて設定されたＣＴのフィールドオブビュー（ＦＯＶ）を用いて被検体の関心領域のＣＴスキャンを行なうように構成されたＣＴスキャナと、（２）横断面の径を有するＰＥＴのＦＯＶを用いて被検体の関心領域のＰＥＴスキャンを行なうように構成されたＰＥＴスキャナとを備え、径は、関心領域のＣＴスキャンにより求められ、ＰＥＴスキャナは、求められた径、ＰＥＴスキャナのリング径、ＰＥＴスキャナの軸長、および、ＰＥＴスキャナの飛行時間分解能に基づいて同時計数判定窓を計算するように構成された制御部を含む。
【００２３】
別の実施形態によれば、陽電子放出断層撮影法（ＰＥＴ）−コンピュータ断層撮影法（ＣＴ）複合のスキャン装置が提供され、このスキャン装置は、（１）被検体の関心領域のサイズに基づいて設定されたＣＴのフィールドオブビュー（ＦＯＶ）を用いて被検体の関心領域のＣＴスキャンを行なうように構成されたＣＴスキャナと、（２）横断面の径を有するＰＥＴのＦＯＶを用いて被検体の関心領域のＰＥＴスキャンを行なうように構成されたＰＥＴスキャナとを備える。ＰＥＴスキャナは、横断面におけるＰＥＴのＦＯＶの径を、設定されたＣＴのＦＯＶに等しくなるように設定する。ＰＥＴスキャナは、設定された径、ＰＥＴスキャナのリング径、ＰＥＴスキャナの軸長、および、ＰＥＴスキャナの飛行時間分解能に基づいて同時計数判定窓を計算するように構成された制御部を含む。
【００２４】
次に図を参照すると、図１は、臨床用の全身のＰＥＴスキャナに向けたイメージングのＦＯＶを示している。径Ｄおよび軸長Ｌのリングスキャナ（ring scanner）の内側における、径ｄを有する円筒形ボリュームのＦＯＶの場合、最大の飛行時間差（ΔＴＯＦ）は、ＦＯＶの端における放射位置Ｅを有する最も長い斜めのＬＯＲであるＡＢによって、
【数２】
2014071113.tif 000005
【００２５】
として求められ、式中、ｃは、光の速度（３００ｍｍ／ｎｓ）である。
【００２６】
同時計数判定タイミング窓τ、すなわち、検出された２つの光子の到着時間差によって同時計数イベントをフィルタにかけるためのしきい値では、最大のＴＯＦ差と、タイミングの不確実性との両方が考慮される必要がある。飛行時間差ΔＴＯＦがガウス分布しており、標準偏差σΔTOFが、
【数３】
2014071113.tif 000006
【００２７】
に等しいとすると、円筒形のＦＯＶに対する同時計数判定窓は、
【数４】
2014071113.tif 000007
【００２８】
によって計算される。上式において、ｎ＝２〜３は、円筒形のＦＯＶの内側におけるすべての真のＬＯＲが同時計数判定窓によって検出される信頼区間を示す。ｎ＝３の場合、計算された同時計数判定窓によって、シリンダ内における真のＬＯＲの９９．７％が検出される。ｎ＝２の場合には、信頼区間は９５％である。２と３との間のｎの値が推奨される。
【００２９】
上記の式に基づき、
【数５】
2014071113.tif 000008
【００３０】
が得られる。このように、同時計数判定窓は、（ＰＥＴスキャナにおける）ＦＯＶ（ｄ）の関数であり、ＰＥＴ検出器の径（リング径：Ｄ）、長さ（軸長：Ｌ）、およびタイミング分解能（ＦＷＨＭΔＴＯＦ）を用いて明確に計算される。
【００３１】
ＦＯＶと、ＰＥＴ検出器の特性とに基づいて同時計数判定窓が計算される実施形態は、従来のスキャナに比べて利点を有する。例えば、それぞれのＦＯＶに対する偶発同時計数の量が、固定の同時計数判定窓の代わりに上記で計算される「最適な」同時計数判定窓によって低減する一方、真の同時計数は影響を受けない。
【００３２】
例えば、表２は、（Ｄ＝９０９ｍｍ、Ｌ＝１９６ｍｍ、ＦＷＨＭΔTOF＝４５０ｐｓ、およびｎ＝２．７を用いて）計算された同時計数判定窓と、固定の３．０ｎｓの同時計数判定窓に比べた、ＮＥＭＡ−ＮＵ２のカウントレート用ファントムを用いた様々なサイズのＦＯＶに対する偶発の低減（random reduction）における量とをリストにしている。
【表２】
2014071113.tif 000009
【００３３】
図２は、一実施形態に従い、ＰＥＴ−ＣＴスキャナにおけるＰＥＴスキャナを用いてＰＥＴスキャンを行なう方法を示す。
【００３４】
ステップ２０１では、ＣＴスキャノグラムを得るために、設定されたＣＴのＦＯＶを用いて被検体の関心領域におけるＣＴスキャンが行なわれる。表１に示されているように、ＣＴにおける複数のＦＯＶのうちの任意のものが、撮像される被検体の関心領域に応じて用いられてもよい。
【００３５】
ステップ２０２では、ＰＥＴイメージング用の横断ＦＯＶの径ｄが求められる。この径は、ステップ２０１で得られたＣＴスキャノグラムから求められてもよい。あるいは、ステップ２０１で用いられたＣＴのＦＯＶ値と同じになるように径が設定されてもよい。
【００３６】
ステップ２０３では、以下の式、
【数６】
2014071113.tif 000010
【００３７】
を用いてＰＥＴの同時計数判定窓が求められる。上式において、ＤはＰＥＴスキャナのリング径であり、ＬはＰＥＴスキャナの軸長であり、ｄは横断ＦＯＶの径であり、ＦＷＨＭΔTOFはＰＥＴスキャナにおける飛行時間分解能であり、ｎは所定の数である。
【００３８】
ステップ２０４では、ステップ２０２で求められたＰＥＴのＦＯＶと、ステップ２０３で計算された同時計数判定窓とを用いて、被検体の関心領域におけるＰＥＴスキャンが行なわれる。
【００３９】
図３および図４は、一実施形態によるＰＥＴ／ＣＴシステム４００を示す。このシステムは、ＣＴスキャンを行なうように構成されたＣＴ装置４０６と、ＰＥＴスキャンを行なうように構成されたＰＥＴ検出器装置（ＰＥＴスキャナ）４０１とを含む。
【００４０】
ＰＥＴ検出器装置（ＰＥＴスキャナ）４０１は、天板の長軸方向に沿った所定の軸長と所定のリング径とを有する円筒形状で前記天板の周囲に配置され、前記被検体内で発生した放射線を検出する複数の放射線検出器を有する
ＰＥＴ／ＣＴシステム４００は、制御部４０７から受信されたコマンドなどに基づき、ＰＥＴ検出器装置４０１およびＣＴ装置（ＣＴスキャナ）４０６の内側にある患者パレット（天板）の位置決めを行なうように構成されたパレット（天板）位置決め部を含む可動患者パレット（天板）４０２を含む。
【００４１】
制御部４０７は、パレット位置決め部を介する患者パレット（天板）の位置の調節を含む、ＰＥＴ／ＣＴシステム４００の機能全体を制御する。パレット位置決め部は、患者パレットを少なくとも長軸方向に移動させるように構成された機構を含む。また、制御部４０７は、パレット上における患者のまわりの１つまたは複数のＰＥＴ検出器部分の位置決めを行なうＰＥＴ検出器位置決め部４０３を制御する。
【００４２】
また、制御部４０７は、上記の通り、求められた径、ＰＥＴスキャナのリング径、ＰＥＴスキャナの軸長、および、ＰＥＴスキャナの飛行時間分解能に基づいて同時計数判定窓を計算するように構成されている。
【００４３】
制御部４０７は、被検体に対する撮像視野の直径と、軸長と、リング径と、放射線の飛行時間の時間分解能とに基づいて、放射線の発生点を特定するための同時計数時間幅を計算する。制御部４０７は、計算した同時計数時間幅を後述するデータ処理部に出力する。制御部４０７は、計算された同時計数時間幅を用いて被検体に対するＰＥＴスキャンを実行するために、ＰＥＴスキャナ４０１を制御する。
【００４４】
なお、制御部４０７は、被検体に対するＸ線コンピュータ断層撮影により発生されたスキャノグラムに基づいて、ＰＥＴスキャンにおける撮像視野の直径を決定してもよい。また、制御部４０７は、ＰＥＴスキャンにおける撮像視野の直径を、Ｘ線コンピュータ断層撮影における撮像視野の直径に等しく設定してもよい。
【００４５】
データ収集部４０４は、ＰＥＴスキャン中にＰＥＴ検出器装置４０１からＰＥＴイベントデータを取得し、ＰＥＴ画像を再構成するためにそのイベントデータをデータ処理部に送る。また、ＰＥＴイベントデータは、データ処理部４０５による処理の前に記憶部４１０に記憶されてもよい。
【００４６】
操作者インターフェース部４０８は、例えば、ＣＴスキャンもしくはＰＥＴスキャンを開始するオペレータコマンド、もしくは、ＣＴ画像の関心領域を設定するオペレータコマンドを受信するように構成されており、かつ／または、スキャンに関連するパラメータを受信するように構成されている。患者におけるＰＥＴおよびＣＴの画像、ならびに、スキャンに関連する操作パラメータは、表示部４０９に表示される。
【００４７】
当業者が理解するように、制御部４０７およびデータ処理部４０５は、個別論理ゲート、特定用途向け集積回路（ＡＳＩＣ）、フィールドプログラマブルゲートアレイ（ＦＰＧＡ）、または他の複合型プログラマブルロジックデバイス（ＣＰＬＤ）として実装され得るＣＰＵを含み得る。ＦＰＧＡまたはＣＰＬＤの実装では、ＶＨＤＬ、Ｖｅｒｉｌｏｇ、または他の任意のハードウェア記述言語でコード化されてもよく、コードは、ＦＰＧＡまたはＣＰＬＤの内部にある電子メモリに直接記憶されてもよく、または、別の電子メモリに記憶されてもよい。さらに、記憶部４１０は、ＲＯＭ、ＥＰＲＯＭ、ＥＥＰＲＯＭ、またはフラッシュメモリのように不揮発性でもよい。また、記憶部４１０は、スタティックＲＡＭまたはダイナミックＲＡＭのように揮発性でもよく、マイクロコントローラまたはマイクロプロセッサなどのプロセッサは、電子メモリを管理するためだけでなく、ＦＰＧＡまたはＣＰＬＤとメモリユニットとのやりとりを管理するために設けられてもよい。
【００４８】
記憶部４１０は、天板に載置された被検体内で発生した放射線を検出するスキャンに伴って発生された放射線検出データ（ＰＥＴイベントデータ）を記憶する。
【００４９】
あるいは、制御部４０７またはデータ処理部４０５におけるＣＰＵは、本明細書で説明された機能を実行する一組のコンピュータ可読命令を含むコンピュータプログラムを実行してもよい。このプログラムは、上記の非一時的な電子メモリおよび／もしくはハードディスクドライブ、ＣＤ、ＤＶＤ、フラッシュドライブ、または、知られている他の任意の記憶媒体に記憶されてもよい。さらに、コンピュータ可読命令は、米国のインテル製のＸｅｎｏｎプロセッサ、または、米国のＡＭＤ製のＯｐｔｅｒｏｎプロセッサなどのプロセッサ、ならびに、マイクロソフトＶＩＳＴＡ、ＵＮＩＸ（登録商標）、Ｓｏｌａｒｉｓ、ＬＩＮＵＸ（登録商標）、Ａｐｐｌｅ、ＭＡＣ−ＯＳ、および当業者に知られている他のオペレーティングシステムなどのオペレーティングシステムと共に動作するユーティリティアプリケーション、バックグランドデーモン、もしくは、オペレーティングシステムのコンポーネントとして提供されてもよく、または、それらの組み合わせとして提供されてもよい。
【００５０】
データ処理部４０５は、放射線検出データと同時計数時間幅とに基づいて、被検体内に投与された放射性核種の分布画像を発生する。
【００５１】
データ処理部４０５によって処理されると、処理された信号は、記憶部４１０に記憶され、かつ／または、表示部４０９に表示される。当業者が理解するように、記憶部４１０は、ハードディスクドライブ、ＣＤ−ＲＯＭドライブ、ＤＶＤドライブ、フラッシュドライブ、ＲＡＭ、ＲＯＭ、または、当技術分野で知られている任意の他の電子記憶装置でもよい。表示部４０９は、ＬＣＤディスプレイ、ＣＲＴディスプレイ、プラズマディスプレイ、ＯＬＥＤ、ＬＥＤ、または、当技術分野で知られている他の任意のディスプレイとして実装されてもよい。このように、本明細書で行なわれる記憶部４１０および表示部４０９の説明は例示にすぎず、本発明の範囲を全く限定しない。
【００５２】
また、本実施形態における装置の技術的思想を核医学診断装置（例えば、ＰＥＴ装置）で実現する場合には、例えば図４の構成図における一点鎖線内の構成要素を有するものとなる。この時、同時計数時間幅（同時計数判定窓）を決定する各処理は、図２のフローチャートの各処理に対応する。これらの処理につては、実施形態と同様である。
【００５３】
また、本実施形態における装置の技術的思想を医用データ処理装置で実現する場合には、例えば図４の構成図における破線内の構成要素を有するものとなる。この時、同時計数時間幅（同時計数判定窓）を決定する各処理は、図２のフローチャートの各処理に対応する。これらの処理につては、実施形態と同様である。
【００５４】
いくつかの実施形態が説明されたが、これらの実施形態は単に例示するために提示されており、本発明の範囲を限定するものでは決してない。実際には、本明細書において説明された新規性のある方法およびシステムは、様々な他の形態で実施されてもよく、さらに、本明細書で説明された方法およびシステムの形態における様々な省略、代用、および変更が、本発明の趣旨から逸脱することなく行なわれてもよい。添付の特許請求の範囲、およびそれらの等価物は、本発明の範囲および趣旨に入ることになるこのような形態または変更を含むように考えられている。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５６】
４００…ＰＥＴ／ＣＴシステム、４０１…ＰＥＴ検出器装置（ＰＥＴスキャナ）、４０２…天板および天板位置決め部、４０３…ＰＥＴ検出器位置決め部、４０４…データ収集部、４０５…データ処理部、４０６…ＣＴ装置（ＣＴスキャナ）、４０７…制御部、４０８…操作者インターフェース部、４０９…表示部、４１０…記憶部
【図１】
2014071113.tif 000012
【図２】
2014071113.tif 000013
【図３】
2014071113.tif 000014
【図４】
2014071113.tif 000015